(57)【要約】【課題】録画抜けを防止することを目的とする。【解決手段】撮像装置に対して設定されている録画設定情報に基づいて撮像装置で撮像された映像の録画時に想定される録画負荷を時刻ごとに取得する取得手段と、取得された時刻ごとの録画負荷を録画設定画面に表示する表示制御手段と、を有することによって課題を解決する。【選択図】図５
2015185919.tif 000002
【特許請求の範囲】
【請求項１】
撮像装置に対して設定されている録画設定情報に基づいて前記撮像装置で撮像された映像の録画時に想定される録画負荷を時刻ごとに取得する取得手段と、
前記取得された時刻ごとの録画負荷を録画設定画面に表示する表示制御手段と、
を有する表示制御装置。
【請求項２】
前記取得手段は、撮像装置に対して設定されている録画設定情報に基づいて前記撮像装置で撮像された映像の録画時に想定される録画負荷を時刻ごとに算出し、取得する請求項１記載の表示制御装置。
【請求項３】
前記取得手段は、撮像装置に対して設定されている録画設定情報と前記撮像装置で撮像された映像の録画先の記録媒体の数とに基づいて前記撮像装置で撮像された映像の録画時に想定される録画負荷を時刻ごとに算出することで、録画負荷を時刻ごとに取得する請求項２記載の表示制御装置。
【請求項４】
前記表示制御手段は、前記時刻ごとに取得された録画負荷を、各録画負荷に対応する色を用いて前記時刻ごとに表示する請求項１乃至３何れか１項記載の表示制御装置。
【請求項５】
前記表示制御手段は、前記時刻ごとに取得された録画負荷を、グラフを用いて前記時刻ごとに表示する請求項１乃至３何れか１項記載の表示制御装置。
【請求項６】
前記表示制御手段は、前記時刻ごとに取得された録画負荷を、各録画負荷に対応する数値を用いて前記時刻ごとに表示する請求項１乃至３何れか１項記載の表示制御装置。
【請求項７】
前記表示制御手段は、前記時刻ごとに取得された録画負荷が設定された閾値を超えている場合は、前記録画設定情報を調整する調整画面を更に表示する請求項１乃至６何れか１項記載の表示制御装置。
【請求項８】
前記表示制御手段は、前記時刻ごとに取得された録画負荷が設定された閾値を超えている場合は、撮像装置に対して録画優先度を設定する画面を更に表示する請求項１乃至６何れか１項記載の表示制御装置。
【請求項９】
前記時刻ごとに取得された録画負荷が設定された閾値を超えている場合は、前記録画設定情報を自動で調整する調整手段を更に有する請求項１乃至６何れか１項記載の表示制御装置。
【請求項１０】
前記録画設定情報には、録画種別、映像フォーマット、フレームレート、解像度、映像品質のうち少なくとも１つが含まれる請求項１乃至９何れか１項記載の表示制御装置。
【請求項１１】
撮像装置と、表示制御装置と、録画装置と、がネットワークを介して接続されたネットワーク監視システムであって、
前記表示制御装置は、
前記撮像装置に対して設定されている録画設定情報に基づいて前記撮像装置で撮像された映像の前記録画装置への録画時に想定される録画負荷を時刻ごとに取得する取得手段と、
前記取得された時刻ごとの録画負荷を録画設定画面に表示する表示制御手段と、
を有するネットワーク監視システム。
【請求項１２】
表示制御装置が実行する情報処理方法であって、
撮像装置に対して設定されている録画設定情報に基づいて前記撮像装置で撮像された映像の録画時に想定される録画負荷を時刻ごとに取得する取得工程と、
前記取得された時刻ごとの録画負荷を録画設定画面に表示する表示制御工程と、
を含む情報処理方法。
【請求項１３】
撮像装置と、表示制御装置と、録画装置と、がネットワークを介して接続されたネットワーク監視システムにおける情報処理方法であって、
前記表示制御装置が、前記撮像装置に対して設定されている録画設定情報に基づいて前記撮像装置で撮像された映像の前記録画装置への録画時に想定される録画負荷を時刻ごとに取得する取得工程と、
前記表示制御装置が、前記取得された時刻ごとの録画負荷を録画設定画面に表示する表示制御工程と、
を含む情報処理方法。
【請求項１４】
コンピュータに、
撮像装置に対して設定されている録画設定情報に基づいて前記撮像装置で撮像された映像の録画時に想定される録画負荷を時刻ごとに取得する取得ステップと、
前記取得された時刻ごとの録画負荷を録画設定画面に表示する表示制御ステップと、
を実行させるためのプログラム。
【発明の詳細な説明】
【技術分野】
【０００１】
本発明は、表示制御装置、情報処理方法及びプログラムに関する。
【背景技術】
【０００２】
従来から、監視映像を録画すると共に、監視映像のライブ表示や録画再生表示を行なう監視システムがある（特許文献１）。このような監視システムでは、表示制御装置から設定された録画設定情報に応じて、監視カメラで撮影された映像が録画装置内に配置されたハードディスク装置に録画される。
【先行技術文献】
【特許文献】
【０００３】
【特許文献１】特許第４７７５９３１号公報
【発明の概要】
【発明が解決しようとする課題】
【０００４】
一般的な録画装置では、録画対象の画像データをハードディスク装置に書き込むことで録画を実施するが、ハードディスク装置へのデータ書き込み速度には上限があり、その上限を超えてデータを書き込むことは不可能である。監視システムの録画のように、常時リアルタイム書き込みを実施する場合、書き込みデータ量が前記上限を超えてしまうと正常な書き込みができずに「録画抜け」としてデータが欠落してしまう。
本発明は、録画抜けを防止することを目的とする。
【課題を解決するための手段】
【０００５】
そこで、本発明の表示制御装置は、撮像装置に対して設定されている録画設定情報に基づいて前記撮像装置で撮像された映像の録画時に想定される録画負荷を時刻ごとに取得する取得手段と、前記取得された時刻ごとの録画負荷を録画設定画面に表示する表示制御手段と、を有する。
【発明の効果】
【０００６】
本発明によれば、録画抜けを防止することができる。
【図面の簡単な説明】
【０００７】
【図１】ネットワーク監視システムのシステム構成等の一例を示す図である。
【図２】録画設定画面の一例を示す図である。
【図３】録画スケジュール設定ダイアログの一例を示す図である。
【図４】録画スケジュールリストの一例を示す図である。
【図５】録画負荷表示に係る情報処理の一例を示すフローチャートである。
【図６】録画負荷レベルを説明するための図である。
【図７】録画設定画面の一例を示す図である。
【図８】調整ダイアログの一例を示す図である。
【図９】録画スケジュールリストの一例を示す図である。
【図１０】録画負荷調整の情報処理の一例を示すフローチャートである。
【図１１】調整ダイアログの一例を示す図である。
【図１２】録画スケジュールリストの一例を示す図である。
【発明を実施するための形態】
【０００８】
以下、本発明の実施形態について図面に基づいて説明する。
【０００９】
＜実施形態１＞
図１は、ネットワーク監視システムのシステム構成等の一例を示す図である。図１に示すネットワーク監視システムは、ネットワークカメラ１０１と、録画装置１０２と、表示制御装置１０３と、ＬＡＮ等のネットワーク１０４と、によって構成される。
ネットワークカメラ１０１は、撮像した画像データをネットワーク１０４に配信する。また、ネットワークカメラ１０１は、マイクや外部センサーといった外部装置１２２から取得した音声・センサー情報や、撮像した画像を解析した画像解析情報、及びそれら情報から生成された各種イベントデータを配信する。
録画装置１０２は、ネットワークカメラ１０１からネットワーク１０４を介して配信された各種データを、ハードディスク等の記録媒体に記録する。本実施形態の例では記録媒体は、録画装置１０２内のハードディスクとするが、録画装置１０２に外部接続された記録媒体でもよいし、ネットワーク１０４に別途接続されたＮＡＳ（Ｎｅｔｗｏｒｋ  Ａｔｔａｃｈｅｄ  Ｓｔｏｒａｇｅ）であってもよい。
表示制御装置１０３は、ネットワークカメラ１０１から配信された映像データをライブ表示し、また、録画装置１０２によって記録媒体に記録されたデータを再生表示する。更に、表示制御装置１０３は、録画装置１０２と通信し、録画やシステム全体に関する各種設定画面を提供する。表示制御装置１０３は、本実施形態の例のように独立してネットワーク１０４に接続されてもよいし、録画装置１０２に同様の機能を持たせて録画・表示装置としてもよい。
ネットワーク１０４は、ネットワークカメラ１０１と、録画装置１０２と、表示制御装置１０３とが相互に通信可能に接続される。また、この例ではＬＡＮとしたが、無線又は専用ケーブルを使用したネットワークを構築してもよい。以上のネットワークカメラ１０１と、録画装置１０２と、表示制御装置１０３と、ネットワーク１０４とは、図中ではそれぞれ一つを図示したが、それぞれが複数の構成をとってもよい。
【００１０】
続いて各装置の構成について図１を用いて説明する。
ネットワークカメラ１０１は、通信制御部１０５で表示制御装置１０３や録画装置１０２から受信したコマンドに応じて、ネットワーク１０４を介して画像データを配信する共に、各種カメラ制御を実行する。画像入力部１０６は、ビデオカメラ１０７による撮影画像（動画及び静止画）を取り込む。取り込まれた撮影画像は、データ処理部１０８によってＭｏｔｉｏｎＪＰＥＧ圧縮処理やｈ．２６４圧縮処理といった圧縮処理がなされる。更にデータ処理部１０８では、撮影画像を解析して動物体の検出等の画像処理を行い、各種イベントデータを生成する。例えば、カメラ制御部１０９は、通信制御部１０５で解釈された、受信されたコマンドで指定された制御内容に応じてビデオカメラ１０７のパン・チルト角度を制御する。なお、データ処理部１０８は、ビデオカメラ１０７からの画像信号を取り込み、圧縮処理して、各種イベントデータを共に通信制御部１０５に渡しネットワーク１０４に送出する。別途カメラに接続されたマイクや外部センサー等の外部装置１２２がある場合は、外部データ受信部１２３で音声や外部センサー情報を受信し、通信制御部１０５を介してネットワーク１０４に配信する。
【００１１】
録画装置１０２は、記録部１１５に保存された録画設定情報に従って映像録画を実施する。録画装置１０２はコマンド生成部１１１によって録画映像取得のためのコマンドを生成する。生成されたコマンドは通信制御部１１２によってネットワーク１０４を介してネットワークカメラ１０１に送信される。ネットワークカメラ１０１から受信した画像データは、データ処理部１１３によって記録可能な形式に変換される。ここで記録対象となるデータには、ネットワークカメラ１０１のデータ処理部１０８で付与された、カメラ情報や各種イベントデータが含まれる。記録対象のデータは、記録制御部１１４によって記録部１１５に記録される。
【００１２】
表示制御装置１０３では、通信制御部１１８によりネットワークを介してネットワークカメラ１０１や録画装置１０２から送信された画像データ、各種イベントデータ、「録画中」等のカメラ状態情報を受信する。また、ユーザーによる操作は操作入力部１１６により受け付けられる。入力された操作により、コマンド生成部１１７で各種コマンドが生成される。ネットワークカメラ１０１に対するライブ映像表示操作や制御操作であれば、ネットワークカメラ１０１に対する要求コマンドが通信制御部１１８から送信される。ライブ映像表示操作であれば、カメラから受信した画像データをデータ処理部１１９が伸長処理し、表示処理部１２０が表示部１２１に表示する。一方、ユーザーによる操作が録画映像の再生操作であれば、コマンド生成部１１７は、録画装置１０２に対して録画データ要求コマンドを生成する。生成したコマンドは通信制御部１１８によって録画装置１０２に送信される。録画装置１０２から受信した画像データは、データ処理部１１９によって伸長処理される。伸長された画像は表示処理部１２０によって表示部１２１に表示される。更に、表示制御装置１０３は、ネットワーク１０４を介して録画装置１０２の録画設定情報を取得し、ユーザーが設定可能な形式で録画設定画面を表示部１２１に表示する。表示された録画設定画面は操作入力部１１６からの操作によって設定を受け付けることができる。設定の受け付けが完了するとネットワーク１０４を介して録画装置１０２の録画設定情報が更新される。以上のように、表示制御装置１０３で設定された録画設定情報に従って録画装置１０２はネットワークカメラ１０１の映像を録画する。
【００１３】
図１に示した各装置の構成は、ハードウェアとして各装置に実装されていてもよいし、構成のうちソフトウェアで実装可能なものはソフトウェアとして各装置に実装されてもよい。より具体的に説明すると、ネットワークカメラ１０１の通信制御部１０５、画像入力部１０６、データ処理部１０８、カメラ制御部１０９、外部データ受信部１２３はソフトウェアとして実装されてもよい。また、表示制御装置１０３のコマンド生成部１１７、通信制御部１１８、データ処理部１１９、表示処理部１２０はソフトウェアとして実装されてもよい。また、録画装置１０２のコマンド生成部１１１、通信制御部１１２、データ処理部１１３、記録制御部１１４はソフトウェアとして実装されてもよい。上記の構成がソフトウェアとして各装置に実装される場合、各装置は少なくともハードウェア構成としてＣＰＵとメモリとを有し、ＣＰＵがメモリ等に記憶されているプログラムに基づき処理を実行する。このことによって各装置におけるソフトウェアの機能が実現される。なお、以下に示すフローチャートの処理は、表示制御装置１０３のＣＰＵが表示制御装置１０３のモリ等に記憶されているプログラムに基づき処理を実行することによって実現されるものとして説明を行う。
【００１４】
次に図２を用いて録画設定画面の説明をする。図２に示す録画スケジュールリスト画面２０１は、四台のネットワークカメラが接続されている状態での録画スケジュールリストである。まず左側に設定対象カメラのカメラリストが表示され（２０２）、各々のカメラの録画スケジュールが右側に表示されている（２０３）。左側のカメラリスト部２０２は、各々のカメラのカメラ名とカメラ状態とを表示している。図２では、まだ録画設定を実施する前であるため、全てのカメラの状態が「待機中」となっている。右側の録画スケジュール部２０３は、時刻及び曜日ごとに表示されスクロールバー２０４でスクロール可能である。更に、リスト最上段には、時刻ごとの録画負荷が色分けして表示されている（２０６）。ここでいう録画負荷とは、各カメラの各時刻の録画設定内容に基づき算出されるものであり、録画種別、映像フォーマット、フレームレート、解像度、映像品質、録音有無等によって総合的に算出される。算出された録画負荷の高低により２０７に示すように段階的に表示する色が変更される。図２の例ではまだ録画設定がなされていないため、全ての時刻で録画負荷が「低」の色で表示されている。表示制御装置１０３は、カメラリスト部２０２からカメラが選択され、スケジュール追加ボタン２０５を押下されると、選択されたカメラに録画スケジュールを設定するためのダイアログを開く。
【００１５】
図３は、録画スケジュール設定ダイアログの一例を示す図である。図３の例では、「入口のカメラ」の録画スケジュール設定を行うものとして説明を行う。録画スケジュール設定ダイアログ３０１では、ユーザーは、開始終了時刻３０２、実施曜日３０３、録画種別３０４、録画する映像フォーマット３０５、フレームレート３０６、映像の解像度３０７、映像品質３０８、録音有無（録音）３０９のそれぞれの設定を行う。それぞれの項目は、チェックボックスやリストボックス等の標準的なユーザーインターフェースにより設定可能である。図３の例では、録画時刻は「６：００から２０：００まで」である。実施曜日は「月曜日から金曜日まで」である。録画種別は「通常録画」である。映像フォーマットは「ＪＰＥＧ」である。フレームレートは「３０ｆｐｓ」である。解像度は「１２８０ｘ９６０ピクセル」である。映像品質は「最高」である。録音は「あり」である。ユーザーＬが以上の設定操作を、各カメラの各時刻に対して必要に応じて実施する。このことで表示制御装置１０３は、録画スケジュールを作成する。
【００１６】
図４は、一通りの録画設定を施したあとの録画スケジュールリストの一例を示す図である。前述の録画設定により設定された録画スケジュールが４０１に時間で区切られた帯として表示される。それぞれの録画スケジュールには設定されている録画種別が表示される。また、図４には各録画スケジュールに設定されているフレームレートが参考情報として表示されている。ここで、説明を簡単にするため全ての録画設定は映像フォーマットがＪＰＥＧであるとする。これらのスケジュールの設定値に基づき各時刻における想定される録画負荷が４０２に表示されている。ここで表示される色は、時刻ごとの負荷（この例ではフレームレート）によって予め決められた色が表示される（４０６）。例えば月曜日の０：００〜６：００のスケジュールを見ると、それぞれの設定フレームレートは１ｆｐｓ，１ｆｐｓ，５ｆｐｓ，１ｆｐｓで合計８ｆｐｓであるため、負荷は「低」であるとし、「低」に対応した色が表示される（４０３）。また、月曜日の６：００〜１２：００ではそれぞれの設定フレームレートは３０ｆｐｓ，３０ｆｐｓ，５ｆｐｓ，３０ｆｐｓで合計９５ｆｐｓであるため、負荷は「中」であるとし、「中」に対応した色が表示される（４０４）。更に、月曜日の１２：００〜２０：００ではそれぞれの設定フレームレートは３０ｆｐｓ，３０ｆｐｓ，３０ｆｐｓ，３０ｆｐｓで合計１２０ｆｐｓであるため、負荷は「高」であるとし、「高」に対応した色が表示される（４０５）。他の曜日や時刻に関しても同様に負荷が算出され録画負荷４０２に表示される。
【００１７】
図５は、録画負荷表示に係る情報処理の一例を示すフローチャートである。まず、ＣＰＵは、録画時に想定される負荷を算出する基となる合計フレームレートを０にセットする（ｓ５０１）。次に、ＣＰＵは、１番目のカメラの設定フレームレートを取得する（ｓ５０２）。ＣＰＵは、取得した設定フレームレートを合計フレームレートに加算する（ｓ５０３）。ＣＰＵは、この処理を全てのカメラに対して行う（ｓ５０４）。ＣＰＵは、加算された全てのカメラのフレームレートの和と、負荷を決定する指標とを比較し、想定される録画負荷レベルを決定する（ｓ５０５）。ＣＰＵは、決定された録画負荷レベル（前記の例では低、中、高）に応じた色を表示する（ｓ５０６）。
【００１８】
以上の例では、決定された録画負荷レベルを色分けして表示している。しかし、ＣＰＵは、図６に示すように、折れ線グラフ（６０１）で示すことも可能であるし、その他の棒グラフ等を用いてもよい。また、これらの例では録画負荷を三段階としているが、より多段階で色表示、グラフ表示してもよいし、色やグラフではなく録画負荷の数値自体を表示してもよい。また、時刻ごとに負荷を表示する方法以外に、曜日ごとに表示してもよいし、全曜日全時刻から負荷を算出し負荷を表示してもよい。更に、以上の説明では録画負荷の算出にフレームレート情報のみを使用しているが、ＣＰＵは、フレームレート以外の情報として録画種別、映像フォーマット、解像度、映像品質を使用し更に詳細な負荷情報を算出することもできる。更に、データ書き込み先が複数存在する場合、即ち、録画装置に接続されているハードディスク装置等の記録媒体が複数存在する場合は、単一の記録媒体に書き込む場合に比べシステムとしての単位時間当たりの書き込み可能量が増加する。そのため、ＣＰＵは、負荷算出情報として、書き込み先の記録媒体の数を使用するようにしてもよい。データ書き込み先は、録画先の一例である。
以上のように算出した負荷を録画スケジュール設定時に表示することにより、録画抜けが発生し得る設定なのか否かが容易に判別可能となる。
【００１９】
＜実施形態２＞
次に実施形態２について図をもとに説明する。
実施形態２におけるネットワーク監視システムの構成は実施形態１と同一である（図１）。
次に図７を用いて実施形態２に係る録画設定画面の説明をする。図７に示す録画スケジュールリスト画面７０１は、実施形態１の図２の状態（四台のネットワークカメラが接続され、各々に録画スケジュールを追加した状態）から更にカメラを一台追加して合計五台とし、追加したカメラに録画スケジュールを設定した状態である。ここで五台目のカメラは「階段のカメラ」７０２であり、設定したスケジュールは他四台と同様に帯状に表示されている（７０３）。実施形態２では、録画負荷として「低、中、高」以外に「要修正」が追加されている。録画負荷の段階７０４に示すとおり、０〜４９ｆｐｓを「低」、５０〜９９ｆｐｓを「中」、１００〜１４９ｆｐｓを「高」、１５０ｆｐｓ以上を「要修正」としている。「要修正」は、設定した録画内容の書き込み負荷が高すぎる状態を示している。ここで、月曜日の１２：００から２０：００のスケジュールを見てみると、五台全てが３０ｆｐｓなので合計１５０ｆｐｓとなり録画負荷は「要修正」となる（７０５）。実施形態２では、想定される録画負荷が「要修正」となった場合、その時間帯の録画設定を修正し録画負荷の調整を行うダイアログがユーザーに提供される。
【００２０】
図８を用いて録画負荷の調整ダイアログの説明をする。調整を行う時刻と曜日とが８０１に示される。次に、調整を手動で行うか、自動で行うかをユーザーが選択する（８０２）。手動で行う場合は、録画スケジュールリストに表示されている録画スケジュールを手動で調整する。自動で行う場合は、どのように調整するかをユーザーが選択してＣＰＵが調整を実行する。自動で行う場合は、まずどのカメラを調整対象にするかをユーザーが選択する（８０３）。図８の例では「全てのカメラ」を調整対象としている。次に調整後の目標負荷レベルをユーザーが選択する（８０４）。これは、自動調整後にどのレベルまで負荷を減らすかを示しており、図８の例では「中」を調整後の負荷レベルとしている。次に、各々のカメラに対してどの項目を調整するかをユーザーが選択する（８０５）。図８の例では各カメラのフレームレートを調整することで録画負荷を調整しようとしているが、録画負荷の算出に解像度や映像品質を使用している場合はそれらの項目も調整対象としてユーザーは選択することができる。以上の設定をした上でユーザーは対象時刻の録画負荷の調整を指示する。調整ダイアログは、調整画面の一例である。
【００２１】
図９は、図８の設定で負荷を自動調整した後の録画スケジュールリストの一例を示す図である。全てのカメラの１２：００から２０：００までのスケジュール９０１において、フレームレートを３０ｆｐｓから１５ｆｐｓに変更することでこの時間帯の録画負荷レベルが「要調整」から「中」に削減されている（９０２）。
【００２２】
図１０は、録画負荷調整の情報処理の一例を示すフローチャートである。まず、ＣＰＵは、録画時に想定される負荷を算出する基となる合計フレームレートを０にセットする（ｓ１００１）。次に、ＣＰＵは、１番目のカメラの設定フレームレートを取得する（ｓ１００２）。ＣＰＵは、取得した設定フレームレートを合計フレームレートに加算する（ｓ１００３）。ＣＰＵは、これを全てのカメラに対して行う（ｓ１００４）。ＣＰＵは、加算された全てのカメラのフレームレートの和と、負荷を決定する指標とを比較し、想定される録画負荷レベルを決定する（ｓ１００５）。ＣＰＵは、決定された負荷が上限（図７の例では１５０ｆｐｓ）に達しているかを判定する（ｓ１００６）。ＣＰＵは、上限に達していなければ決定された想定録画負荷を表示する（ｓ１００７）。一方、ＣＰＵは、上限に達していた場合は図８で説明した録画負荷の調整ダイアログを表示する（ｓ１００８）。ＣＰＵは、ダイアログ上で設定された調整内容に従って録画負荷を調整する（ｓ１００９）。そして、ＣＰＵは、調整後の負荷が上限を超えていないかを判定する（ｓ１０１０）。ＣＰＵは、調整後も上限を超えているような場合は再調整を実施する（ｓ１００８〜ｓ１００９）。ＣＰＵは、上限を超えていなければ調整後の負荷を表示する（ｓ１００７）。以上の処理により負荷調整を行う。上限は、設定された閾値の一例である。
【００２３】
実施形態２では、負荷調整の他の方法として、録画抜けを許容することも可能である。その場合の録画負荷の調整ダイアログを図１１に示す。ＣＰＵは、図７で「要修正」となった時間帯を対象に図１１に示す調整ダイアログを表示する。このダイアログでは、負荷調整の項目に録画抜けを許容する項目が表示されている（１１０１）。ユーザーがこの項目を選択した場合、ＣＰＵは、カメラに重要度を設定し、重要度の低いカメラから優先的に録画抜けが発生するように調整する。カメラの重要度を設定する方法として、重要度を均等にする他、カメラごとに順位をつける方法もある（１１０２）。図１１の例で調整した後の録画スケジュールリストを図１２に示す。負荷レベルとして「録画抜け許容」が追加され（１２０１）、負荷調整した１２：００〜２０：００の負荷表示が変更されている（１２０２）。図１２には示していないが、設定した優先度はスケジュールリスト中に記載されてもよい。重要度は、録画優先度の一例である。
以上のように算出した負荷が極めて大きい場合は手動又は自動でその負荷を調整することにより録画スケジュール設定時に、録画抜けが発生し得る設定なのか否かが容易に判別可能となり、発生し得る場合は容易に再設定可能となる。
【００２４】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２５】
以上、上述した各実施形態によれば、録画時の書き込み負荷が視覚化されるため、録画スケジュール設定時に録画抜けが発生しうるか否かを予め確認可能となり、録画抜けを未然に防ぐことが容易になる。
よって、録画抜けを防止することができる。
【符号の説明】
【００２６】
１０１  ネットワークカメラ、１０２  録画装置、１０３  表示制御装置
【図１】
2015185919.tif 000003
【図２】
2015185919.tif 000004
【図３】
2015185919.tif 000005
【図４】
2015185919.tif 000006
【図５】
2015185919.tif 000007
【図６】
2015185919.tif 000008
【図７】
2015185919.tif 000009
【図８】
2015185919.tif 000010
【図９】
2015185919.tif 000011
【図１０】
2015185919.tif 000012
【図１１】
2015185919.tif 000013
【図１２】
2015185919.tif 000014